(57)【要約】【課題】  電力消費量を上昇させることなく、光磁気ディスクへの記録速度を高速化する。【解決手段】  磁気ヘッド部１３は、記録用の磁気ヘッドと、磁気ヘッドと光磁気ディスク１の表面との距離を一定に保持するように光磁気ディスク１の表面に摺動する摺動部１３ａとを備える。サスペンション１２は、その一端に磁気ヘッド部１３が固定され、他端には、光磁気ディスク１の外周部の外側でかつその表面と略同じ高さ（またはそれより裏面側）の位置に弾性部１２ｃが設けられて、その弾性部１２ｃの端部で固定体１１に固定されている。光磁気ディスク１が上下に変動した場合には、弾性部１２ｃの付近を回転中心として磁気ヘッド部１３が移動するため、磁気ヘッド部１３の水平方向への移動量が抑制されるので、磁気ヘッドの磁界発生部の断面積を小型化できる。【選択図】  図２
2006302485.tif 000002
【特許請求の範囲】
【請求項１】
光磁気ディスクに信号を記録する磁気ヘッド装置において、
記録用の磁気ヘッドと、前記磁気ヘッドと前記光磁気ディスクの表面との距離を一定に保持するように前記光磁気ディスクの表面に摺動する摺動部とを備えた磁気ヘッド部と、
一端に前記磁気ヘッド部が固定され、他端には、前記光磁気ディスクの外周部の外側で、かつ、前記光磁気ディスクの表面と略同じ高さ、またはそれより裏面側の位置に弾性部が設けられて、前記弾性部の端部で固定体に固定されたサスペンションと、
を有することを特徴とする磁気ヘッド装置。
【請求項２】
前記サスペンションは、前記弾性部の前記光磁気ディスクの中心側にリジッド部を備えていることを特徴とする請求項１記載の磁気ヘッド装置。
【請求項３】
前記サスペンションは、前記リジッド部と前記磁気ヘッド部との間にさらに弾性部を備えていることを特徴とする請求項２記載の磁気ヘッド装置。
【請求項４】
前記サスペンションと前記光磁気ディスクとの間に設けられて前記磁気ヘッド部を前記光磁気ディスクから離間させるように前記サスペンションを跳ね上げる跳ね上げ機構をさらに有することを特徴とする請求項１記載の磁気ヘッド装置。
【請求項５】
前記サスペンションの前記光磁気ディスクと反対側に設けられて、前記跳ね上げ機構による前記サスペンションの跳ね上げ時に前記サスペンションおよび前記磁気ヘッド部の位置を規制する位置規制部材をさらに有することを特徴とする請求項４記載の磁気ヘッド装置。
【請求項６】
光磁気ディスクに信号を記録する光磁気ディスク記録装置において、
記録用の磁気ヘッドと、前記磁気ヘッドと前記光磁気ディスクの表面との距離を一定に保持するように前記光磁気ディスクの表面に摺動する摺動部とを備えた磁気ヘッド部と、
一端に前記磁気ヘッド部が固定され、他端には、前記光磁気ディスクの外周部の外側で、かつ、前記光磁気ディスクの表面と略同じ高さ、またはそれより裏面側の位置に弾性部が設けられて、前記弾性部の端部で固定体に固定されたサスペンションと、
を有する磁気ヘッド装置を備えたことを特徴とする光磁気ディスク記録装置。
【発明の詳細な説明】
【技術分野】
【０００１】
本発明は、光磁気ディスクに接触摺動して光磁気記録を行う磁気ヘッド部を備えた磁気ヘッド装置および光磁気ディスク記録装置に関する。
【背景技術】
【０００２】
ＭＤ（ミニディスク、登録商標）などの光磁気ディスクに信号を記録する光磁気記録再生装置には、光磁気ディスクの記録層を挟んで一方に光ビームを照射する光ピックアップが配置され、他方に外部磁界を印加する磁気ヘッドが配置される。信号を記録するときは、光磁気ディスクの記録層に対して、磁気ヘッドから記録信号に応じて磁界の向きが変調された磁界を印加するとともに、光ピックアップからの光ビームを照射する。このとき、光ビームによってキュリー温度以上に加熱されて保磁力を消失した部分が、磁気ヘッドからの磁界の方向に応じて磁化された後、光ビームの相対的な移動でキュリー温度以下に低下することによって磁化の方向が固定され、信号の記録がなされる。
【０００３】
従来の光磁気記録用磁気ヘッドとしては、磁気ヘッド部に設けられた摺動体が光磁気ディスクに接触摺動することで、磁気ヘッドと記録層との間隔を一定に保つようにした摺動型の磁気ヘッドが知られている。このような摺動型の磁気ヘッドの例として、第１および第２の弾性変位部を備え、磁気ヘッド部の光磁気ディスクへの摺動を第２の弾性変位部により行い、光磁気ディスクの微小振動に対して第１の弾性変位部によりヘッド部を追従させることにより、磁気ヘッド部と光磁気ディスクの接触圧力を小さくしたものがあった（例えば、特許文献１参照）。
【０００４】
図６は、上記のような従来の光磁気記録用の摺動型磁気ヘッド装置の構成例を示す断面図である。
図６に示す磁気ヘッド装置は、磁気記録装置内に挿入された際に光磁気ディスク１の上面に位置するように設けられ、一端が固定体３０に固定されたサスペンション３１を具備し、そのサスペンション３１の他端には磁気ヘッド部３２が取り付けられている。磁気ヘッド部３２は、摩擦抵抗の低い樹脂などからなる摺動部３２ａを具備し、この摺動部３２ａの下面が光磁気ディスク１の表面に摺動することで、摺動部３２ａの内部に設けられた図示しない磁気ヘッドと光磁気ディスク１との記録層とが一定の間隔を保持するようになっている。また、サスペンション３１にはリジッド部３１ａと弾性部３１ｂとが設けられ、サスペンション３１はこの弾性部３１ｂにより、磁気ヘッド部３２の摺動部３２ａを所定の圧力で光磁気ディスク１の表面に付勢している。
【０００５】
さらに、この磁気ヘッド装置には、サスペンション３１を図中上方向に跳ね上げるリフタ３４を具備している。光磁気ディスク１は、ディスクカートリッジ２に収容された状態で磁気記録装置に対して着脱されるが、その着脱時にリフタ３４が図中右方向に移動することにより、磁気ヘッド部３２が光磁気ディスク１の表面から離れ、ディスクカートリッジ２と干渉しないようになっている。
【０００６】
このような磁気ヘッド装置においては、光磁気ディスク１の回転する際に、磁気ヘッド部３２に対して相対的に上下に変動する場合がある。例えばＭＤ規格では、光磁気ディスク１の面ぶれやスピンドルモータへのクランプ状態などを考慮して、±５００μｍ程度の上下変動を設計値としている。
【０００７】
そして、このような光磁気ディスク１の相対的な上下変動により、磁気ヘッド部３２は、サスペンション３１の仮想回転中心点として円弧を描くように変動する。仮想回転中心点は、リジッド部３１ａと弾性部３１ｂとの接続部付近となり、この点が光磁気ディスク１より上側にあることから、光磁気ディスク１の上下変動により、磁気ヘッド部３２は水平方向（図中左右方向）にも変動する。例えば従来のＭＤでは、水平方向に対して±１００μｍ程度変動する。したがって、磁気ヘッド部３２のコイルなどからなる磁界発生部については、その水平方向の寸法を、光磁気ディスク１の上下変動への対応分として予め２００μｍ程度は大きく設定しておく必要があった。
【特許文献１】特許第３５０１３０６号公報（段落番号〔００９４〕〜〔０１１３〕、図１）
【発明の開示】
【発明が解決しようとする課題】
【０００８】
ところで、光磁気ディスクに対しては、高記録密度化や記録装置の小型化が進んだ影響で、記録速度のさらなる高速化や低消費電力化が要求されている。しかし、磁気ヘッド部の水平方向への変動に対応するために磁界発生部の断面積を大きくすると、コイルのインピーダンスが高まり、記録周波数を高めると消費電力が過大になる。このため、磁界発生部の断面積を大きくすることが、記録速度の高速化や低消費電力化を阻害する要因となっていた。
【０００９】
本発明はこのような点に鑑みてなされたものであり、電力消費量を上昇させることなく、光磁気ディスクへの記録速度を高速化することが可能な磁気ヘッド装置を提供することを目的とする。
【００１０】
また、本発明の他の目的は、電力消費量を上昇させることなく、光磁気ディスクへの記録速度を高速化することが可能な磁気ヘッド装置を備えた光磁気ディスク記録装置を提供することである。
【課題を解決するための手段】
【００１１】
本発明では上記課題を解決するために、光磁気ディスクに信号を記録する磁気ヘッド装置において、記録用の磁気ヘッドと、前記磁気ヘッドと前記光磁気ディスクの表面との距離を一定に保持するように前記光磁気ディスクの表面に摺動する摺動部とを備えた磁気ヘッド部と、一端に前記磁気ヘッド部が固定され、他端には、前記光磁気ディスクの外周部の外側で、かつ、前記光磁気ディスクの表面と略同じ高さ、またはそれより裏面側の位置に弾性部が設けられて、前記弾性部の端部で固定体に固定されたサスペンションとを有することを特徴とする磁気ヘッド装置が提供される。
【００１２】
このような磁気ヘッド装置では、磁気ヘッド部の摺動部が光磁気ディスクの表面に摺動することで、磁気ヘッドと光磁気ディスクとが一定の距離を保った状態で信号記録が安定的に行われる。また、光磁気ディスクが記録面に垂直な方向に変動した場合には、その光磁気ディスクの外周部の外側で、かつ、光磁気ディスクの表面と略同じ高さ、またはそれよりディスク裏面側の位置に設けられた弾性部を回転中心として、磁気ヘッド部が移動する。このため、磁気ヘッド部の水平方向への移動量が抑制されるので、磁気ヘッドの磁界発生部の断面積を小型化しても、正常に信号記録が実行されるようになる。
【発明の効果】
【００１３】
本発明の磁気ヘッドによれば、光磁気ディスクが記録面に垂直な方向に変動した場合に、その光磁気ディスクの外周部の外側で、かつ、光磁気ディスクの表面と略同じ高さ、またはそれよりディスク裏面側の位置に設けられた弾性部を回転中心として、磁気ヘッド部が移動する。このため、磁気ヘッド部の水平方向への移動量を抑制でき、磁気ヘッドの磁界発生部の断面積を小型化しても、正常に信号記録を実行できるようになる。従って、磁界発生部の断面積の小型化により、電力消費量を上昇させることなく、記録信号の周波数を上昇させることができ、記録速度を高速化できる。
【発明を実施するための最良の形態】
【００１４】
以下、本発明の実施の形態を図面を参照して説明する。
図１は、本発明の第１の実施の形態に係る光磁気ディスク記録装置の全体を示す平面図である。
【００１５】
この光磁気ディスク記録装置は、光磁気ディスク１に信号を記録する摺動型の磁気ヘッドを備えている。光磁気ディスク１はディスクカートリッジ２に収容され、このディスクカートリッジ２とともに光磁気ディスク記録装置に着脱可能に装着される。
【００１６】
また、この光磁気ディスク１を挟んで一方には光ビームを照射する光ピックアップ３が配置され、他方には外部磁界を印加する磁気ヘッド装置４が配置されている。さらに、この光磁気ディスク記録装置は、光ピックアップ３の照射光の発光および検出信号の受光を行う発光部・受光部５と、光ピックアップ３および磁気ヘッド装置４を移動させるための送りモータ６およびガイド部材７とを備えている。
【００１７】
この光磁気ディスク記録装置において信号記録が行われるときには、光磁気ディスク１の記録層に対して、磁気ヘッド装置４から記録信号に応じて磁界の向きが変調された磁界を印加するとともに、発光部・受光部５からの光ビームを光ピックアップ３を通じて照射する。光磁気ディスク１の記録層では、光ビームによってキュリー温度以上に加熱されて保磁力を消失した部分が、磁気ヘッドからの磁界の方向に応じて磁化された後、光ビームの相対的な移動でキュリー温度以下に低下することによって磁化の方向が固定され、信号の記録がなされる。また、磁気ヘッド装置４および光ピックアップ３は、送りモータ６の駆動力によりガイド部材７に沿って図の矢印方向に移動される。
【００１８】
図２は、上記の磁気ヘッド装置の構成を示す図であり、（Ａ）は平面図、（Ｂ）は正面断面図である。
この磁気ヘッド装置４は、光磁気ディスク記録装置の枠体に固定された固定体１１と、この固定体１１に光磁気ディスク１の外側で固定されたサスペンション１２とを有しており、サスペンション１２の一端には、光磁気ディスク１に対して磁界を発生する磁気ヘッド部１３が設けられている。さらにこの磁気ヘッド装置４には、サスペンション１２を跳ね上げるリフタ１４、跳ね上げ時にサスペンション１２や磁気ヘッド部１３の位置を規定するアーム１５、磁気ヘッド部１３に記録信号に応じた変調信号を供給するためのフレキシブル基板１６などを備えている。
【００１９】
磁気ヘッド部１３は、摩擦抵抗の低い樹脂などからなる摺動部１３ａを具備し、この摺動部１３ａの下面が光磁気ディスク１の表面に摺動することで、摺動部１３ａの内部に設けられた図示しない磁気ヘッドと光磁気ディスク１との記録層とが一定の間隔を保持するようになっている。また、サスペンション１２は、リジッド部１２ａを挟んで弾性部１２ｂおよび１２ｃを備えており、弾性部１２ｂの端部に磁気ヘッド部１３が固定されている。サスペンション１２はこの弾性部１２ｂおよび１２ｃにより、磁気ヘッド部１３の摺動部１３ａを所定の圧力で光磁気ディスク１の表面に付勢している。さらに、固定体１１側の弾性部１２ｃは、光磁気ディスク１の表面と略同じ高さの位置に設けられている。
【００２０】
図３は、図２（Ｂ）の左端部を拡大して示す図であり、（Ａ）は側面図、（Ｂ）は正面断面図である。
この図３に示すように、サスペンション１２は弾性部１２ｃの端部において固定体１１に固定され、その固定位置は光磁気ディスク１の表面と略同じ高さになっている。このような構造により、光磁気ディスク１が上下に変動した場合には弾性部１２ｃが変形し、その結果、磁気ヘッド部１３は、光磁気ディスク１の表面と略同じ高さを回転中心として円弧状に移動する。なお、光磁気ディスク１の上下変動に応じた力を受ける磁気ヘッド部１３からの距離の違いから、光磁気ディスク１の上下変動によりサスペンション１２の弾性部１２ｂはほとんど変形せず、弾性部１２ｃの変形量の方がはるかに大きくなる。
【００２１】
ここで図２に戻って説明すると、従来の磁気ヘッド装置では、光磁気ディスク１が上下に変動した場合に、磁気ヘッド部１３は光磁気ディスク１より上側を回転中心とした円弧（図中の矢印Ｐ１）に沿って移動していた。これに対し、本実施の形態の磁気ヘッド装置４では、光磁気ディスク１の表面と略同じ高さを回転中心とした円弧（図中の矢印Ｐ２）に沿って磁気ヘッド部１３が移動するので、磁気ヘッド部１３の水平方向（図２（Ｂ）中の左右方向）への変動量が極めて小さくなる。
【００２２】
このため、磁界印加性能を低下させることなく、磁気ヘッド部１３のコイルなどの磁界発生部の断面積を小さくすることができ、磁気ヘッド部１３を小型化できるのみならず、コイルのインピーダンスを低減できる。これにより、消費電力を上昇させることなく、記録信号の周波数を高めて記録速度を上昇させることができる。例えば、磁界発生部の断面積を従来の１／２とした場合には、磁界効率が約２倍になり、記録速度が同じとすれば消費電力を１／４に低減できる。
【００２３】
図４は、上記のリフタ１４により磁気ヘッド部１３が光磁気ディスク１の表面から離れた状態を示す図である。
上述したように、光磁気ディスク１はディスクカートリッジ２に収容された状態で磁気記録装置に対して着脱されるが、その着脱時にリフタ１４が図中右方向に移動することにより、サスペンション１２および磁気ヘッド部１３が光磁気ディスク１から離間する方向に跳ね上げられる。これにより、ディスクカートリッジ２の着脱の際に、磁気ヘッド部１３と干渉しないようになり、着脱時における磁気ヘッド部１３の破損が防止される。
【００２４】
また、サスペンション１２の光磁気ディスク１との対向側にはアーム１５が設けられ、このアーム１５は固定体１１に固定されている。サスペンション１２の跳ね上げ時には、サスペンション１２の弾性部１２ｂおよび１２ｃが変形して、サスペンション１２および磁気ヘッド部１３がアーム１５に当接して位置規制される。これにより、磁気ヘッド部１３とディスクカートリッジ２との干渉を確実に防止しながらも、サスペンション１２および磁気ヘッド部１３の上方向への変動量を抑制し、光磁気ディスク記録装置を薄型化できる。
【００２５】
以上説明したように、本実施の形態の磁気ヘッド装置４によれば、光磁気ディスク１が上下に変動した場合の磁気ヘッド部１３の水平方向への移動量が抑制されたことで、消費電力を上昇させることなく、光磁気ディスク１への記録速度を高めることができる。しかも、ディスクカートリッジ２の着脱時における磁気ヘッド部１３の破損が確実に防止され、装置全体を薄型化することもできる。
【００２６】
また、図５は、本発明の第２の実施の形態に係る磁気ヘッド装置の構成を示す断面図である。
図５の磁気ヘッド装置４ａは、第１の実施の形態と同様に、光磁気ディスク記録装置の枠体に固定された固定体２１と、この固定体２１に光磁気ディスク１の外側で固定されたサスペンション２２とを有し、サスペンション２２の一端には、光磁気ディスク１に対して磁界を発生する磁気ヘッド部２３が設けられている。また、この磁気ヘッド装置４ａは、サスペンション２２を跳ね上げるリフタ２４、跳ね上げ時にサスペンション２２や磁気ヘッド部２３の位置を規定するアーム２５などを備えていることも同様である。さらに、サスペンション２２にはリジッド部２２ａが設けられ、このリジッド部２２ａと磁気ヘッド部２３との間には弾性部２２ｂが設けられて、リフタ２４の動作により磁気ヘッド部２３が跳ね上げられたときに、弾性部２２ｂが撓むようになっていることも同様である。
【００２７】
また、サスペンション２２の固定体２１側の端部には弾性部２２ｃが設けられ、この弾性部２２ｃが固定体２１に、例えばスポット溶接などにより固定されている。ここで、第１の実施の形態と異なる点は、弾性部２２ｃと固定体２１との接続位置が、光磁気ディスク１の表面の高さよりさらに図中下側（すなわちディスク裏面側）とされて、この接続位置が光磁気ディスク１の上下変動時のサスペンション２２の回転中心となる点である。この結果、磁気ヘッド部２３は図５中の矢印Ｐ３に沿って移動するようになる。なお、本実施の形態では例として、リジッド部２２ａが固定体２１側で図中下方向に折り曲げられ、これにより弾性部２２ｃと接続する部分までのサスペンション２２の剛性が保たれている。
【００２８】
このように、光磁気ディスク１が上下方向に変動したときに、サスペンション２２の回転中心が、光磁気ディスク１の外周部の外側で、かつ、光磁気ディスク１の表面の高さよりさらに下側となるように構成することで、例えばリジッド部２２ａと弾性部２２ｂとの間が回転中心となった場合と比較して、磁気ヘッド部２３の水平方向（図５中の左右方向）への移動量が抑制される。
【００２９】
また、光磁気ディスク１の上下変動により弾性部２２ｂもわずかに変形し、その影響で磁気ヘッド部２３は水平方向にわずかに移動する。しかし、弾性部２２ｃと固定体２１との接合部をディスク表面より下側としたことで、弾性部２２ｂおよび２２ｃのそれぞれの変形が、磁気ヘッド部２３を水平方向に対して逆向きに移動させるように作用し、結果的に弾性部２２ｂの変形による影響が相殺されるので、第１の実施の形態と比較して磁気ヘッド部２３の水平方向への移動量がさらに抑制される。
【００３０】
従って、本実施の形態によれば、磁界印加性能を低下させることなく、磁気ヘッド部２３のコイルなどの磁界発生部の断面積をさらに小さくでき、磁気ヘッド部２３を小型化できるとともに、コイルのインピーダンスを低減できるので、消費電力を上昇させることなく、記録信号の周波数を高めて記録速度をより一層上昇させることができる。
【００３１】
なお、上記の実施の形態では、ディスクカートリッジに収容された光磁気ディスクを使用した場合について説明したが、ディスクカートリッジを使用しないタイプの光磁気ディスクに記録する磁気ヘッド装置および光磁気ディスク記録装置に本発明を適用することもできる。
【図面の簡単な説明】
【００３２】
【図１】本発明の第１の実施の形態に係る光磁気ディスク記録装置の全体を示す平面図である。
【図２】磁気ヘッド装置の構成を示す図であり、（Ａ）は平面図、（Ｂ）は正面断面図である。
【図３】図２（Ｂ）の左端部を拡大して示す図であり、（Ａ）は側面図、（Ｂ）は正面断面図である。
【図４】リフタにより磁気ヘッド部が光磁気ディスクの表面から離れた状態を示す図である。
【図５】本発明の第２の実施の形態に係る磁気ヘッド装置の構成を示す断面図である。
【図６】従来の光磁気記録用の摺動型磁気ヘッド装置の構成例を示す断面図である。
【符号の説明】
【００３３】
１……光磁気ディスク、２……ディスクカートリッジ、３……光ピックアップ、４……磁気ヘッド装置、５……発光部・受光部、６……送りモータ、７……ガイド部材、１１……固定体、１２……サスペンション、１２ａ……リジッド部、１２ｂ，１２ｃ……弾性部、１３……磁気ヘッド部、１３ａ……摺動部、１４……リフタ、１５……アーム、１６……フレキシブル基板
【図１】
2006302485.tif 000003
【図２】
2006302485.tif 000004
【図３】
2006302485.tif 000005
【図４】
2006302485.tif 000006
【図５】
2006302485.tif 000007
【図６】
2006302485.tif 000008